(57)【特許請求の範囲】
【請求項１】
剥離可能に積層された一対のフィルムシートの一方の外側面に情報記載が可能なシートを積層すると共に残るもう一方の面に接着手段が形成されたラベルであって、前記一対のフィルムシートを構成する分割剥離可能な２枚のフィルムシートの両者に複数の微細な孔が設けられたことを特徴とした情報表示ラベル。
【請求項２】
情報表示ラベルの周囲の任意の辺に形成された複数の切れ込みが、一対のフィルムシートを構成する分割剥離可能な２枚のフィルムシートの両者に形成されていることを特徴とした請求項１に記載の情報表示ラベル。
【請求項３】
請求項２の複数の切れ込みがマイクロミシンの破断により形成されたことを特徴とした情報表示ラベル。
【請求項４】
接着手段が粘着剤層であって、該粘着剤層の一対のシート側と逆側の面に剥離紙が設けられたことを特徴とした情報表示ラベル。
【請求項５】
請求項４の情報表示ラベルが１枚のラベルシートに複数設けられたことを特徴とした情報表示ラベルシート。
【発明の詳細な説明】
【技術分野】
【０００１】  本発明は、郵送物や配送物に宛名やその他の各種情報を明記する情報表示ラベル等に関する。詳しくは被着体から剥離可能で剥離後人手により容易に引裂き廃棄することが可能な情報表示ラベルとそれらが複数連接された形態の情報表示ラベルシートに関する。
【背景技術】
【０００２】  従来、情報表示ラベルとして、例えば上質紙に住所が他の情報と共に記載されたラベルが、郵送物や配送物の任意の箇所に剥離可能に貼付されており、受取人は前記ラベルを貼付されている郵送物や配送物表面から引き剥がして廃棄したり或いは保管していた。
そのような情報表示ラベルとして、例えば実用新案登録第３０２５１８０号公報に開示される「書留郵便物用ラベル」がある。
【先行技術文献】
【特許文献】
【０００３】
【特許文献１】実用新案登録第３０２５１８０号公報
【発明の概要】
【発明が解決しようとする課題】
【０００４】  このものは、受取人表示欄と引受番号表欄と受領印欄が印刷されてなる書留郵便物配達証用の第１ラベルと、受取人表示欄と引受番号と摘要欄が印刷されてなる書留郵便物配達証控用の第２ラベルと、前記第１、第２ラベルのそれぞれは前記印刷が施された表面側シートと、その下面に結合される合成樹脂フィルムからなる上フィルムと、前記上フィルムと同様な材質からなり且つ前記上フィルムの下面に接着する下フィルムと、前記下フィルムの下面に設けられる粘着剤層と、前記粘着剤層を被覆する剥離紙とから構成されている。【０００５】  前記のように構成されたラベルは、郵便物に容易に貼着できると共に、貼着した後は不用意に剥離することなく且つ剥がす際には剥し易く、さらには、１年間の保管に十分耐え得るものである。【０００６】  しかるに、個人情報が重要視されるようになった昨今、不用となった前記ラベルを廃棄する時には、記載されている情報を何らかの手段で破壊して処理したいところである。ところがラミネート処理により補強された前記参考文献のラベル表面は簡単に破壊することができず、鋏やカッター、或いはシュレッダー等を特別に用意する必要がある。またラベルが剥がされた後に相方のフィルムシートが残された状態の郵便物も、住所等の各種個人情報が記載されている場合があるため前記ラベルと同様に破壊して処理したいところであるが、既述の理由でそれもできない。受取人としては人手で簡単に引裂いて済ませたいところである。
【課題を解決するための手段】
【０００７】  前記課題を解決するために、本発明に係る情報表示ラベルは、剥離可能に積層された一対のフィルムシートの一方の外側面に情報記載が可能なシートを積層すると共に残るもう一方の面に接着手段が形成されたラベルであって、前記一対のフィルムシートを構成する分割剥離可能な２枚のフィルムシートの両者に複数の微細な孔が設けられたことを特徴としている。【０００８】  前記構成の情報表示ラベルは、構成物の全てが廃棄に際して任意の辺の任意の位置に所要の引裂き操作を加えることにより、あらゆる方向へ容易に破断されると共に、任意の方向の引裂き操作の繰り返しにより容易に細分化される。即ち、前記情報表示ラベルを構成するシートは、例えばそれ自体、紙材等からなり、廃棄に際して本来あらゆる方向へ容易に引裂き破断することが可能である。また、前記情報表示ラベルを構成する一対のフィルムシートは、それに多数の微細な孔が全面的に穿設されていることから、これについてもあらゆる方向へ容易に引裂き破断することが可能であり、廃棄に際して、任意の辺の任意の位置に所要の引裂き操作を加えることにより、前記引裂き開始位置からその近傍の微細な孔へと破断が容易に開始され、一旦破断が開始されれば、内方に分布形成されている多数の微細な孔に亀裂が連続的に伝播し、あらゆる方向へ破断が拡大し、さらに前記破断により生じた破断端縁部の任意の位置においても、前記と同様の引裂き操作により、該引裂き開始位置から内方へと容易に破断が開始され、亀裂の伝播を介してあらゆる方向へ拡大することになる。【０００９】  なお、前記接着手段は、引裂きに伴う亀裂の伝播に支障がない公知の接着剤（感熱性接着剤・感圧性接着剤等）や粘着剤等を好適に使用でき、粘着剤等を使用する場合にはさらにその外側面に剥離紙を設けて、被着体に貼着する時に剥離紙を引き剥がして粘着剤を露出させて使用しても構わない。【００１０】  前記剥離可能に積層された一対のフィルムシートは、例えば基材の一方の面に前記基材と異なる各種樹脂が剥離可能に積層された構成であっても構わず、また一方の面に疑似接着媒体による疑似接着層が形成された基材同士を、疑似接着層側同士を対向させて剥離可能に積層した構成でも構わない。【００１１】  前記一対のフィルムシートの構成で前者の場合、基材としては厚さが約８〜２５μｍ、その中でも１０〜２０μｍで２軸延伸タイプのプラスチック樹脂が好ましく、例えばポリエチレンテレフタレート、ポリプロピレン、ポリエチレン、アセテート、ポリカーボネート、ナイロン等の比較的腰の強い素材から選択される。そして前記基材に積層される樹脂としては、好ましくはポリエチレン、ポリプロピレン、アイオノマー、ＥＶＡ、ＥＡＡ、ＥＥＡ等の熱可塑性樹脂を単体で或いは混合したものを主体として、溶融押出しや塗工により基材に積層したものを好適に使用することができる。なおこの構成の場合、基材と樹脂の界面から分離して剥離が開始される。【００１２】  前記一対のフィルムシートの構成で後者の場合、基材としては厚さが約８〜２５μｍ、その中でも１０〜２０μｍで２軸延伸タイプのプラスチック樹脂が好ましく、例えばポリエチレンテレフタレート、ポリプロピレン、ポリエチレン、アセテー���、ポリカーボネート、ナイロン等の比較的腰の強い素材から選択される。また疑似接着層としては、好ましくはポリエチレン、ポリプロピレン、アイオノマー、ＥＶＡ、ＥＡＡ、ＥＥＡ等の熱可塑性樹脂の中から比較的軟化溶融温度の低いものを単体で或いは混合したものを好適に使用することができる。なお、この構成の場合、対向する疑似接着層で分離して剥離が開始される。【００１３】  前記一対のフィルムシートは全体として一枚のフィルムシートであるにもかかわらず、２枚のフィルムシートに分割剥離可能な構成のことを言う。したがって仮に全体として複数の層から構成されたものであっても、結果的に２枚に分割剥離されるものであればいかなる層構成であろうと構わない。【００１４】  本発明では前記一対のフィルムシートに複数の微細な孔を設ける。前記孔は被着体に残されるフィルムシートが被着体の表面の美観に悪影響を与えないように、好ましくは１．０ｍｍ以下に、特に０．３ｍｍ以下の大きさを有していてもよい。その範囲の大きさであれば感熱接着剤が溶融して基材の孔に浸潤して間隙を埋めるため肉眼ではほとんど確認できないくらいの仕上がりを期待することができる。【００１５】  一対のフィルムシートに穿設される微細な孔の形状は、例えば三角形、四角形等の多角形、或いは直線状、Ｖ字状切れ目や十字状等の放射状切れ目等が好適に選択され、孔の内周に形成される屈曲部、隅部、切れ部等が各孔における破断の端緒となり易いので、廃棄時の引裂き操作により、各微細な孔間における亀裂の連続的伝播、従って破断の拡大が生じ易い。【００１６】  また、前記孔は、廃棄時の引裂き操作による情報表示ラベル及び残存したラベルの片割れを貼着したままの被着体自体の円滑な破断のため、好ましくは５個／ｃｍ２以上、特に１０個／ｃｍ２以上の分布密度で、好ましくは５ｍｍ以内、特に３ｍｍ以内の孔間距離で、全面的に、好ましくは均一又は略均一に穿設されてもよい。【００１７】  さらに、本発明に係る情報表示ラベルにおいて、任意の辺に沿って細かい切れ目が形成されていてもよく、前記細かい切れ目として例えば任意の辺に沿ってマイクロミシンを穿設されると共に該マイクロミシンの破断により断裁され形成される細かい切れ目等を好適に使用することができる。その場合、前記マイクロミシンの破断により断裁された辺の端面が多数の切れ目を含む微細な凹凸状態に形成されているので、廃棄に際して、前記破断による断裁に係る辺の任意の位置に所要の引裂き操作を加えることにより、該引裂き開始位置から内方への破断がいっそう容易に開始されると共に一定方向へと破断が拡大し、一対のフィルムシートにおける複数の微細な孔による既述の作用を促進することになる。【００１８】  前記マイクロミシンにおけるカットとアンカットの比率に制限はなく、要は、マイクロミシンからの破断により化粧断裁された辺における多数の切れ目を含む微細な凹凸状態を呈する端面から、用紙とラミネート用フィルムシートを合わせて引裂き破断することを可能にするような態様のミシンであればよい。そのようなマイクロミシンとしては、本発明者の実験によれば、カット長さ０．２ｍｍ〜０．８５ｍｍに対してアンカット長さ０．１ｍｍ〜０．２５ｍｍの���率を有するマイクロミシンを好適に選択することができ、そのような組み合わせの比率の中でも、例えばカット長さ０．５ｍｍ：アンカット長さ０．１５ｍｍ、カット長さ０．２５ｍｍ：アンカット長さ０．１５ｍｍ、或いはカット長さ０．３５ｍｍ：アンカット長さ０．１ｍｍ等の比率を好適に採用してもよい。【００１９】  前記破断用マイクロミシンの形状に制限はなく、カット部分が例えば通常通りの直線状や曲線状のスリットで形成されていてもよく、またカット部分として円形やその他の形状の微細な孔が連続的に形成されてマイクロミシンとされていても差し支えない。また前記破断用のマイクロミシンに代えて、複数の微細な切れ目を情報表示ラベルの周囲に沿って等間隔或いはランダムに設けても同様の破断効果を生ずる。
【発明の効果】
【００２０】  本発明の情報表示ラベルによれば、郵便物や配送物に容易に貼着できると共に、貼着した後は不用意に剥離することなく且つ剥がす際には剥がし易く、さらには、１年間の保管に十分耐え得るものである。それにもかかわらず廃棄の際には、引き剥がされたラベルは勿論、被着体に残存する片割れの分割されたラベルもあらゆる方向に極めて容易に引裂いて廃棄することができるので、情報漏洩の心配もなくなる。【００２１】  また本発明の情報表示ラベルシートによれば、１枚の大きなラベルシートに複数の情報表示ラベルが配置されているため、プリンターによる打ち出しに対して極めて至便であり、剥離紙にそれぞれの情報表示ラベルが貼着された形態のため保管の際にも取り扱いやすく紛失等しにくいという利点がある。
【図面の簡単な説明】
【００２２】
【図１】（Ａ）、（Ｂ）及び（Ｃ）は郵便物等に使用される住所ラベルの平面図、Ｘ−Ｘ線断面図及び剥離した様子を示す断面図である。
【図２】（Ａ）及び（Ｂ）は剥離可能に積層された一対のフィルムシートの平面図とＹ−Ｙ線断面図を示す。
【図３】一対のフィルムシートの異なる態様を示す断面図である。
【図４】一対のフィルムシートの異なる態様を示す断面図である。
【図５】（Ａ）及び（Ｂ）は情報表示ラベルの周囲がマイクロミシンや切れ目で形成された場合の平面図である。
【図６】（Ａ）及び（Ｂ）は複数の情報表示ラベルが１枚の大き目のラベルシートに形成された状態の平面図とＺ−Ｚ線断面図を示す。
【発明を実施するための形態】
【００２３】  図１に示すように本実施例の情報表示ラベルＲは葉書や封書等の郵送物や宅配便や小包に配送票として貼付されるものである。前記情報表示ラベルＲの表面には同図（Ａ）に示すように、受取人の住所氏名が記載されている。場合によっては差出人の住所氏名が別枠で設けられていてもよく、宅配便等においては控えの別枠等が連接して設けられていても構わない。何れにしても受取人の住所氏名以外に各種情報が記載されていても何ら構わない。
【００２４】  前記情報表示ラベルＲは同図（Ｂ）に示すように、剥離可能に積層された一対のフィルムシート１（複雑化を避けるため微細孔７は省略されている）の上側に、必要とあれば接着剤層（図示省略）を介して紙等のシート２が積層されており、前記住所等は前記シート２の表面に記載されている。また前記一対のフィルムシート１の下側には粘着剤層３が形成されており葉書等の被着体４表面に強固に貼着されている。
【００２５】  図２（Ａ）及び（Ｂ）に示すように、一対のフィルムシート１は２軸延伸ポリプロピレンからなる基材５の一方の面にＥＶＡを主体とした疑似接着層６を形成したもの同士を、各々の疑似接着層６を対向させて積層したもので、図１（Ｃ）に示すように各基材５は各疑似接着層６から分割剥離することができる。なお前記分割剥離の具体的な箇所は、対向する疑似接着層６同士の界面であるか、何れかの基材５と疑似接着層６の間、または両方の基材５と各々の疑似接着層６の間で、さらに前記各剥離箇所の混合等で実行される。
【００２６】  前記一対のフィルムシート１には、多数の微細な孔７が全面的に、具体的には０．３ｍｍ以下の大きさで略四角形状の微細な孔が、約２５個／ｃｍ２の分布密度で、３ｍｍ以内の孔間距離で形成されている。図２では一対のフィルムシート１を貫通する状態で微細な孔７が複数穿設されているが、図３に示すように各々の基材５と疑似接着層６に穿設された微細な孔７の位相がずれた状態で積層されていても構わない。また図４に示すように、疑似接着層６が加熱・加圧処理により一体化されると共に疑似接着層６に形成されている微細な孔７が溶融して消滅していても構わない。
【００２７】  前記葉書等の被着体４に貼着された情報表示ラベルＲは、図１（Ｃ）に示すように、疑似接着層６の部分から分割剥離でき、住所ラベル側と被着体の表面に残存するラベル側とに分離される。そして前者の住所ラベル側は保管することができると共に廃棄の際に容易に引裂いて破断することが可能であり、後者の被着体の表面に残存するラベル側も廃棄する際に、あらゆる方向に極めて容易に引裂いて破断することが可能である。
【００２８】  なお本発明は、上記実施例に限られるものではない。
例えば、一対のフィルムシート１の構成が、上記実施例では同一フィルムシートを対向して積層したものであるが、異なる物性の２枚のフィルムシート（ポリエチレンテレフタレートとポリエチレン、ポリエチレンテレフタレートとアイオノマーの組み合わせ等）を剥離可能に積層することにより、両者の界面から引き剥がす構成でも構わない。
【００２９】  また、情報表示ラベルＲ周囲の断裁は、図５（Ａ）に示すように、既述のマイクロミシンの破断や図５（Ｂ）に示すように、複数の微細な切れ込みが形成されており、廃棄時の引裂きに際して任意の辺の任意の位置から破断が容易に開始されるよう操作されている。
【００３０】  また、情報表示ラベルＲを保管する或いは使用する際の形態が情報表示ラベル単品である必要はなく、図６（Ａ）及び（Ｂ）に示すように剥離紙９を備えた大き目の一枚の情報表示ラベルシートＳがハーフカットの切込み８により複数の情報表示ラベルＲに分割されていて、一枚ずつ剥離紙９から引き剥がして使用するようにしても構わない。なお前記ハーフカットの切込み８は、既述の通りマイクロミシンや複数の微細な切れ込みによるハーフカットである。
【００３１】  前記大き目の情報表示ラベルシートＳに複数の情報表示ラベルＲを形成する態様で、一対のフィルムシートに形成される複数の微細な孔７は、図６（Ｂ）に示すように情報表示ラベルＲ本体の外側まで、即ち情報表示ラベルシートＳの全面に渡って施されていてもよく、また情報表示ラベルＲ本体に対応する部分のみに形成されていても構わない。
【符号の説明】
【００３２】  Ｒ  住所ラベル
Ｓ  ラベルシート
１  一対のフィルムシート
２  シート
３  粘着剤層
４  被着体
５  基材
６  疑似接着層
７  微細な孔
８  切込み
９  剥離紙
【図１】
0005483016.tif 000002
【図２】
0005483016.tif 000003
【図３】
0005483016.tif 000004
【図４】
0005483016.tif 000005
【図５】
0005483016.tif 000006
【図６】
0005483016.tif 000007